(57)【要約】【課題】紙葉類処理の再開時に未確定の紙葉類を保守員の手作業に頼ることなく正確に処理することが可能な紙葉類処理システムを提供すること。【解決手段】紙葉類処理システムは、異常の発生に伴う紙葉類処理の停止後に紙葉類処理を再開するために、１次保留部（２０２）に紙葉類が残留している場合には、１次保留部に残留している紙葉類を、集積部（１０２）へ送り返して、再度、分離、搬送させ、この１次保留部に再計数させて再保留させ、この１次保留部に再保留された紙葉類を２次保留部（２０３）に確定保留させる。【選択図】      図５
2005174068.tif 000002
【特許請求の範囲】
【請求項１】
紙葉類を送出する送出手段と、
前記送出手段により送出される紙葉類を計数して保留する第１の保留手段と、
前記第１の保留手段に保留された紙葉類の確定に基づきこの第１の保留手段に保留された紙葉類を確定保留する第２の保留手段と、
異常の発生に伴う紙葉類処理の停止後に紙葉類処理を再開するために、前記第１の保留手段に保留されている未確定の紙葉類を、前記送出手段へ送り返して再送出させ、前記第１の保留手段により再計数させて再保留させ、この再保留された紙葉類を前記第２の保留手段に確定保留させる復旧処理手段と、
を備えたことを特徴とする紙葉類処理システム。
【請求項２】
投入された紙葉類を集積する集積手段と、
前記集積手段により集積された紙葉類を一枚ずつ取り出す取出手段と、
前記取出手段により取り出された紙葉類を鑑査する鑑査手段と、
前記鑑査手段による鑑査結果に基づき紙葉類を振り分ける振分手段と、
前記振分手段により振り分けられた紙葉類を計数して保留する第１の保留手段と、
前記第１の保留手段に保留された紙葉類の確定に基づき前記第１の保留手段に保留された紙葉類を移動させる移動手段と、
前記移動手段により移動される紙葉類を確定保留する第２の保留手段と、
異常の発生に伴う紙葉類処理の停止後に紙葉類処理を再開するために、前記第１の保留手段に保留されている未確定の紙葉類を、前記集積手段へ送り返して、前記取出手段により再度取り出させ、前記第１の保留手段により再計数させて再保留させ、この再保留された紙葉類を前記移動手段により前記第２の保留手段へ確定保留させる復旧処理手段と、
を備えたことを特徴とする紙葉類処理システム。
【請求項３】
紙葉類を処理する紙葉類処理システムであって、
システムへ電力を供給する電力供給手段と、
投入された紙葉類を集積する集積手段と、
前記集積手段により集積された紙葉類を一枚ずつ取り出す取出手段と、
前記取出手段により取り出された紙葉類を鑑査する鑑査手段と、
前記鑑査手段による鑑査結果に基づき紙葉類を振り分ける振分手段と、
前記振分手段により振り分けられた紙葉類を計数して仮保留する第１の保留手段と、
前記第１の保留手段に仮保留された紙葉類の確定に基づき前記第１の保留手段に仮保留された紙葉類を移動させる移動手段と、
前記移動手段により移動される紙葉類を確定保留する第２の保留手段と、
前記第２の保留手段に確定保留される紙葉類に関するデータを記憶する記憶手段と、
前記電力供給手段からの電力供給の停止に伴う紙葉類処理の停止後に電力供給の再開により紙葉類処理を再開するために、前記第１の保留手段に残留している未確定の紙葉類を、前記集積手段へ送り返して、前記取出手段により再度取り出させ、前記鑑査手段により再監査させ、前記振分手段により再鑑査結果に基づき振り分けさせ、前記第１の保留手段により再計数させて再度仮保留させ、この再度仮保留された紙葉類を前記移動手段により前記第２の保留手段へ確定保留させる復旧処理手段と、
を備えたことを特徴とする紙葉類処理システム。
【発明の詳細な説明】
【技術分野】
【０００１】
本発明は、紙葉類を鑑査し、鑑査結果に応じて紙葉類を振り分けて所定の収納庫へ収納する紙葉類処理システムに関する。
【背景技術】
【０００２】
客から投入された紙幣等の紙葉類を受け取り、券種を判別し、所定の金庫に取り込む紙葉類処理装置が知られている。金庫の紙葉類の枚数をＥＥＰＲＯＭ等のメモリに保存しておくことで、異常時に電源が遮断され異常の復旧に伴い装置を再起動させた場合にも、メモリの情報を読み出すことにより、装置内部の紙幣枚数を正確に把握することができる（特許文献１参照）。
【特許文献１】特開２０００−８２１６１
【発明の開示】
【発明が解決しようとする課題】
【０００３】
紙葉類処理装置の金庫は、例えば１次保留部及び２次保留部で構成されている。客により投入された紙葉類は、計数及び鑑査を受けた後、１次保留部に保留され、計数及び鑑査結果の確定を受けてから２次保留部に保留される。２次保留部に保留される紙幣の枚数等は上記したようにメモリで管理することができるが、メモリに情報が書き込まれる前に、電源供給が遮断されてしまうと、次に電源供給を再開したとき１次保留部に保留されている紙葉類の枚数等が正確に把握できないことがある。
【０００４】
このような場合、１次保留部に保留されている紙幣をリジェクト金庫に搬送して、リジェクト金庫に搬送された紙幣を保守員が手作業で計数して対応する。このような対応は保守員の負担となっている。
【０００５】
本発明の目的は、上記課題を解決するためになされたものであり、紙葉類処理の再開時に未確定の紙葉類を保守員の手作業に頼ることなく正確に処理することが可能な紙葉類処理システムを提供することにある。
【課題を解決するための手段】
【０００６】
この発明の紙葉類処理システムは、以下のように構成されている。
【０００７】
この発明の紙葉類処理システムは、紙葉類を送出する送出手段と、前記送出手段により送出される紙葉類を計数して保留する第１の保留手段と、前記第１の保留手段に保留された紙葉類の確定に基づきこの第１の保留手段に保留された紙葉類を確定保留する第２の保留手段と、異常の発生に伴う紙葉類処理の停止後に紙葉類処理を再開するために、前記第１の保留手段に保留されている未確定の紙葉類を、前記送出手段へ送り返して再送出させ、前記第１の保留手段により再計数させて再保留させ、この再保留された紙葉類を前記第２の保留手段に確定保留させる復旧処理手段とを備えている。
【発明の効果】
【０００８】
本発明によれば、紙葉類処理の再開時に未確定の紙葉類を保守員の手作業に頼ることなく正確に処理することが可能な紙葉類処理システムを提供できる。
【発明を実施するための最良の形態】
【０００９】
以下、図面を参照し、本発明の実施形態について説明する。
【００１０】
図１は、この発明の一例に係る紙幣取扱装置（紙葉類処理システム）の概略構成を示す図である。この紙幣取扱装置は、例えば自動入出金機に対して入金される紙幣の処理や、乗車券等を発売する券売機に対して代金として投入される紙幣の処理に適用することができる。
【００１１】
図１に示すように、紙幣取扱装置は、紙幣投入部１０１、集積部１０２、分離部１０３、主搬送路１０４、鑑査部１０５、金庫部１０６、１次搬送路１０７、２次搬送路１０８、及び取込部１０９などを備えている。金庫部１０６は、金庫１０６Ａ及び１０６Ｂなど複数の金庫で構成されており、これら金庫は紙幣の種類、役割等に応じて用意されているものである。
【００１２】
紙幣取扱装置の主な役割は、客が投入した紙幣を受け付け、紙幣の種類を判別し、紙幣の種類毎に所定の金庫に収納することである。紙幣投入部１０１は、いわゆる接客口であり、客はこの紙幣投入部１０１に対して紙幣を投入する。紙幣投入部１０１には、複数枚の紙幣をまとめて投入することができる。集積部１０２は、客が投入した紙幣を装置内部に取り込み保持する。分離部１０３は、集積部１０２にて保持されている複数枚の紙幣を１枚ずつ主搬送部１０４に繰り出す。主搬送路１０４は、分離部１０３より繰り出された紙幣を、所定の金庫への１次搬送路１０７まで搬送する。鑑査部１０５は、主搬送部１０４の搬送路上に設けられており、紙幣の券種を鑑別する。鑑査部１０５の鑑別結果により、収納先の金庫が決定される。鑑査部１０５にて収納先が決定された紙幣は、主搬送部１０４を通って、主搬送路１０４と金庫１０６Ａや１０６Ｂへの分岐点に設けられた取込部１０９により、１次搬送路１０７を経由して所定の金庫へ送られる。取込部１０９は、例えばゲートで構成されており、このゲートは鑑査部１０５の鑑別結果により所定のタイミングで駆動し紙幣を取り込む。
【００１３】
次に、図２及び図３を参照して、金庫の詳細について説明する。図２は、金庫の概略構成を示すための正面から見た断面図であり、図３は、金庫の概略構成を示すための側面から見た断面図である。
【００１４】
図２及び図３に示すように、金庫は、１次保留部２０２及び２次保留部２０３を備えている。１次保留部２０２は、客により投入された紙幣を計数して一時的に保留する。１次保留部２０２に紙幣が保留された時点で、この１次保留部２０２に保留された紙幣の種類や枚数が客に画面等を介して通知される。客は、通知された内容を確認し確定を指示すると、１次保留部２０２に保留された紙幣は２次保留部２０３に送り込まれ確定保留される。客が、通知された内容を見てキャンセルを指示すれば、１次保留部２０２に保留された紙幣だけがそのまま返却される。２次保留部２０３に保留された紙幣は、つり銭の支払い等にも利用される。この場合、２次保留部２０３に保留された紙幣は、２次搬送路１０８、主搬送路１０４を経由して、例えば紙幣投入部１０１から客に対して払い出される。このようにして、客により投入された紙幣を循環させることにより、つり銭の支払いが可能となる。
【００１５】
ここで、金庫の詳細動作について説明する。具体的には、１次保留部２０２に保留された紙幣を２次保留部２０３へ移動させて確定保留する動作について説明する。この動作は、例えばプレート２０４とセパレータ２０５により実現される。図３に示すように、プレート２０４の幅は、二つのセパレータ２０５の設置間隔より狭い。セパレータ２０５は、通常はバネ等で水平に保たれているが、押し上げられることにより上方に駆動可能となっている。つまり、セパレータ２０５は、押し上げられることにより２次保留部２０３側に跳ね上げ可能な構成となっている。
【００１６】
１次保留部２０２により保留されている紙幣がプレート２０４により持ち上げられると、持ち上げられた紙幣によりセパレータ２０５が押し上げられ、セパレータ２０５は上方に駆動する。これにより、プレート２０４により持ち上げられた紙幣は２次保留部２０３へ送り込まれる。上方に移動したセパレータ２０５はバネ等の力で水平に戻るようになっている。セパレータ２０５が水平状態に戻った後、プレート２０４が下方に移動すると、プレート２０４はセパレータ２０５の間隔より狭いため、プレート２０４は１次保留部２０２まで戻ることができる。プレート２０４により押し上げられ２次保留部２０３へ送り込まれた紙幣は、水平状態に戻ったセパレータ２０５により支持され、１次保留部２０２へ戻ることはできない。以上により、１次保留部２０２に保留されていた紙幣を、２次保留部２０３へ送り込み保留させることができる。
【００１７】
なお、この実施形態では、一つの金庫が二つの保留部を備えるケースについて説明したが、この発明はこれに限定されるものではない。例えば、ある金庫を１次保留部として利用し、別の金庫を２次保留部として利用することも可能である。この場合、一つの金庫が二つの保留部を備える必要はない。
【００１８】
次に、図４を参照して、紙幣取扱装置の制御系について説明する。図４は、紙幣取扱装置の概略構成を示す制御ブロック図である。図４に示すように、紙幣取扱装置は、主制御部３０１、搬送制御部３０２、鑑査部３０３（図１に示す鑑査部１０５に対応）、取込制御部３０４、計数部３０５、確定保留制御部３０６、記憶部３０７、及び電力供給部３０８などを備えている。
【００１９】
主制御部３０１は、紙幣取扱装置における紙幣処理に関する全般の制御を行なう。搬送制御部３０２は、主搬送路１０４、１次搬送路１０７、及び２次搬送路１０８による紙幣の搬送を制御する。鑑査部３０３（１０５）は、紙幣を鑑査し、鑑査結果を取込制御部３０４に通知する。取込制御部３０４は、鑑査部３０４からの鑑査結果に基づき、取込部１０９による取込動作を制御して主搬送路１０４を搬送されてくる紙幣を取り込む。計数部３０５は、例えば１次保留部２０２に設けられており、１次保留部２０２に送り込まれてくる紙幣を計数する。確定保留制御部３０６は、１次保留部２０２に保留された紙幣が確定されると（客からの確定の指示に対応して）、プレート２０４を持ち上げて、プレート２０４上の紙幣、つまり１次保留部２０２に保留された紙幣を２次保留部２０３に確定保留させる。記憶部３０７は、２次保留部２０３に確定保留された紙幣の枚数等の情報を記憶する不揮発性のメモリである。電力供給部３０８は、外部から供給される電力をシステムの各部に供給する。
【００２０】
次に、図５に示すフローチャートを参照して、異常から復帰し紙幣処理を再開するための初期化処理について説明する。例えば、紙幣取扱装置に対する外部からの電力供給が断たれると、電力供給部３０８は各部へ電力を供給することができず、主制御部３０１は電力供給異常を検知する。異常が検知されると紙幣処理は停止する。電力供給が復旧すれば、電力供給部３０８により各部への電力供給が再開される。このとき、主制御部３０１は、紙幣処理を再開させるために初期化処理を実行する。
【００２１】
まず、主制御部３０１は、１次保留部２０２に未確定紙幣、つまり紙幣が残留しているか否をチェックする（ＳＴ１）。１次保留部２０２に紙幣が残留してなければ（ＳＴ１、ＮＯ）、その他の初期化動作を実行し（ＳＴ８）、初期化が完了する。１次保留部２０２に紙幣が残留していれば（ＳＴ１、ＹＥＳ）、復旧処理が開始される。つまり、主制御部３０１は、各部に復旧処理を通知する。これに伴い取込制御部３０４は取込部１０９を制御し１次保留部に残留している紙幣を取り出させ、搬送制御部３０２の制御により取り出された紙幣は１次搬送路１０７及び主搬送路１０４を逆送し、集積部１０２へ送り返される（ＳＴ２）。集積部１０２に送り返された紙幣は、再度、分離部１０３により分離され（ＳＴ３）、主搬送路１０４を搬送され（ＳＴ４）、鑑査部１０５で再度鑑査され、鑑査結果に基づき取込部１０９により１次搬送路１０７を経由して所定の金庫へ取り込まれる（元の金庫へ戻る）。これにより、所定の金庫の１次保留部２０２に再保留（集積）される（ＳＴ５）。このとき、計数部３０５により再保留される紙幣が計数される（ＳＴ５）。
【００２２】
１次保留部２０２の残留紙幣がなくなるまで、分離動作、搬送、再保留、再計数の動作が繰り返され、１次保留部２０２の残留紙幣がなくなれば（ＳＴ６、ＹＥＳ）、確定保留制御部３０６の制御により、プレート２０４が持ち上げられ、プレート２０４上の紙幣、つまり１次保留部２０２に保留された紙幣が２次保留部２０３に確定保留される（ＳＴ７、ＹＥＳ）。その後、その他の初期化動作を実行し（ＳＴ８）、初期化が完了する。
【００２３】
１次保留部２０２に紙幣が保留されたタイミングによっては、この１次保留部に保留されている紙幣の枚数等のデータが記憶部３０７に記憶されていないことがある。このようなタイミングで、異常が発生し電力の供給が断たれると、１次保留部２０２に保留されている紙幣の枚数が不明となってしまう。この発明の紙幣取扱装置によれば、異常発生後の初期化において、１次保留部に残っている枚数の不明な紙幣を再計数することができるので、保守員に負担をかけることなく紙幣処理を復帰することができる。
【００２４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２５】
【図１】この発明の一例に係る紙幣取扱装置（紙葉類処理システム）の概略構成を示す図である。
【図２】図１に示す紙幣取扱装置における金庫の概略構成を示すための正面から見た断面図である。
【図３】図１に示す紙幣取扱装置における金庫の概略構成を示すための側面から見た断面図である。
【図４】図１に示す紙幣取扱装置の概略構成を示す制御ブロック図である。
【図５】異常から復帰し紙幣処理を再開するための初期化処理を説明するためのフローチャートである。
【符号の説明】
【００２６】
１０１…紙幣投入部、１０２…集積部、１０３…分離部、１０４…主搬送部、１０５…鑑査部、１０６…収納部、１０６Ａ、１０６Ｂ…収納庫、１０７…１次搬送路、１０８…２次搬送路、１０９…取込部、２０２…１次保留部、２０３…２次保留部、２０４…プレート、２０５…セパレータ、３０１…主制御部、３０２…搬送制御部、３０３…鑑査部、３０４…振分制御部、３０５…計数部、３０６…確定保留制御部、３０７…記憶部、３０８…電力供給部
【図１】
2005174068.tif 000003
【図２】
2005174068.tif 000004
【図３】
2005174068.tif 000005
【図４】
2005174068.tif 000006
【図５】
2005174068.tif 000007